(57)【特許請求の範囲】
【請求項１】
扉体１の内部に取付けた扉錠を施錠・解錠する錠操作部材６を回転自在に支承する支承孔１１と、扉体１の孔を挿通する引寄せ用突起１６と、扉体１の孔を挿通する結合用突起１３を有し、扉体１の一側面１ａに取付ける一側台座１０と、
前記錠操作部材６を回転自在に支承する孔と、前記引寄せ用突起１６の先端部が挿通して突出する引寄せ用孔２５と、前記結合用突起１３が嵌合する結合用孔２７を有し、扉体１の他側面１ｂに取付ける他側台座２０と、
前記他側台座２０に設けられ引寄せ用突起１６の先端部に接することでくさび作用により引寄せ用突起１６を他側台座２０側に引寄せるくさび部品３４を備えたことを特徴とする扉錠の台座取付装置。
【請求項２】
他側台座２０は、扉体１の他側面１ｂに取付ける台座ベース２１と、この台座ベース２１を覆う台座カバー体２２から成り、
前記台座ベース２１は、支承孔２３と引寄せ用孔２５と結合用孔２７を有すると共に、くさび部品３４が設けられ、
前記台座カバー体２２は、支承孔２３と対向した孔を有する請求項１記載の扉錠の台座取付装置。
【請求項３】
台座カバー体２２は、くさび部品３４と接することでくさび部品３４を引寄せ位置に移動するくさび部品移動部４６を有する請求項２記載の扉錠の台座取付装置。
【請求項４】
台座カバー体２２は、引寄せ位置のくさび部品３４を引寄せ位置に保持するくさび部品押え部５２を有する請求項２記載の扉錠の台座取付装置。
【請求項５】
引寄せ用突起１６を、長さ調整自在とした請求項１〜４いずれか１項記載の扉錠の台座取付装置。
【発明の詳細な説明】
【０００１】
【発明の属する技術分野】
本発明は、扉錠を施錠・解錠する錠操作部材を回転自在に支承する台座を扉体に取付ける扉錠の台座取付装置に関する。
【０００２】
【従来の技術】
ラッチを有した錠本体と、このラッチを施錠位置と解錠位置に移動するレバーハンドルと、このレバーハンドルを回転自在に支承する台座を備えた扉錠が知られている。
この扉錠は、その錠本体を扉体の内部に取付け、扉体の表面に台座を取付け、その台座でハンドルを回転自在に支承する。
前述の台座を扉体に取付ける装置が特開平９−２５０２５８号公報に開示されている。
【０００３】
前述の台座取付装置は、一方の台座に軸挿入孔を有する嵌合突体を設け、他方の台座に嵌着軸を設け、その軸挿入孔と嵌着軸を嵌合することで扉体の両側面に一方の台座と他方の台座を取付ける。
【０００４】
【発明が解決しようとする課題】
前述した従来の台座取付装置は、ビスを用いずに台座を取付けできるので、その台座の取付けが容易である。
しかし、軸挿入孔と嵌着軸の嵌合部でのみ一方の台座と他方の台座を結合しているので、その結合力が弱い。
このために、レバーハンドルを繰り返し何回も回転操作することで台座がガタついたり、扉体の側面から浮き上がったりすることがあり、耐久性に劣る。
【０００５】
本発明は、前述の課題に鑑みなされたもので、その目的は、台座の取付けが容易であると共に、耐久性に優れた扉錠の台座取付装置を提供することである。
【０００６】
【課題を解決するための手段】
第１の発明は、扉体１の内部に取付けた扉錠を施錠・解錠する錠操作部材６を回転自在に支承する支承孔１１と、扉体１の孔を挿通する引寄せ用突起１６と、扉体１の孔を挿通する結合用突起１３を有し、扉体１の一側面１ａに取付ける一側台座１０と、
前記錠操作部材６を回転自在に支承する孔と、前記引寄せ用突起１６の先端部が挿通して突出する引寄せ用孔２５と、前記結合用突起１３が嵌合する結合用孔２７を有し、扉体１の他側面１ｂに取付ける他側台座２０と、
前記他側台座２０に設けられ引寄せ用突起１６の先端部に接することでくさび作用により引寄せ用突起１６を他側台座２０側に引寄せるくさび部品３４を備えたことを特徴とする扉錠の台座取付装置である。
【０００９】
第２の発明は、第１の発明において、他側台座２０は、扉体１の他側面１ｂに取付ける台座ベース２１と、この台座ベース２１を覆う台座カバー体２２から成り、
前記台座ベース２１は、支承孔２３と引寄せ用孔２５と結合用孔２７を有すると共に、くさび部品３４が設けられ、
前記台座カバー体２２は、支承孔２３と対向した孔を有する扉錠の台座取付装置である。
【００１０】
第３の発明は、第２の発明において、台座カバー体２２は、くさび部品３４と接することでくさび部品３４を引寄せ位置に移動するくさび部品移動部４６を有する扉錠の台座取付装置である。
【００１１】
第４の発明は、第２の発明において、台座カバー体２２は、引寄せ位置のくさび部品３４を引寄せ位置に保持するくさび部品押え部５２を有する扉錠の台座取付装置である。
【００１２】
第５の発明は、第１〜第４いずれか１つの発明において、引寄せ用突起１６を、長さ調整自在とした扉錠の台座取付装置である。
【００１３】
【作  用】
第１の発明によれば、一側台座１０の引寄せ用突起１６を扉体１の孔を挿通して他側台座２０の引寄せ用孔２５に挿通して先端部を突出させ、その突出した先端部にくさび部品３４を接して引寄せ用突起１６を引寄せることで、一側台座１０と他側台座２０に互いに引き合う力が作用し、一側台座１０が扉体１の一側面１ａ、他側台座２０が扉体１の他側面１ｂにしっかりと取付けられる。
したがって、ビスを用いずに一側台座１０と他側台座２０を容易に取付けできる。しかも、錠操作部材６を繰り返し何回も操作しても一側台座１０、他側台座２０がガタついたり、扉体１の一側面１ａ、他側面１ｂから浮き上がったりすることがなく、耐久性に優れる。
【００１４】
また、結合用突起１３と結合用孔２７の嵌合部分で一側台座１０と他側台座２０を結合するから、一側台座１０と他側台座２０をより強固に取付けできる。
【００１６】
第２の発明によれば、一側台座１０と台座ベース２１を、結合用突起１３と結合用孔２７の嵌合及びくさび部品３４のくさび作用で扉体１の一側面１ａ、他側面１ｂに強固に取付け、その後に台座カバー体２２を取付けて台座ベース２１、くさび部品３４を覆うことができる。
したがって、一側台座１０と台座ベース２１の取付けが容易であると共に、外観の見栄えが良い。
【００１７】
第３の発明によれば、台座カバー体２２を取付けることでくさび部品３４が引寄せ位置に移動するので、くさび部品３４を引寄せ位置に移動する操作が不要である。
したがって、一側台座１０、他側台座２０の取付け作業がより一層容易である。
【００１８】
第４の発明によれば、台座カバー体２２でくさび部品３４を引寄せ位置に保持するので、そのくさび部品３４は引寄せ用突起１６の先端部から離れる方向に移動しない。
したがって、振動なとによってくさび部品３４が引寄せ用突起１６から脱落することがない。
【００１９】
第５の発明によれば、引寄せ用突起１６の長さを変えることで厚さの異なる扉体１に取付けできる。
例えば、厚い扉体１の場合には引寄せ用突起１６を長く、薄い扉体１の場合には引寄せ用突起１６を短かくすることで、一側台座１０と他側台座２０をくさび作用による引き合う力を利用してしっかりと取付けできる。
【００２０】
【発明の実施の形態】
図１に示すように、扉体１には複数の孔、例えば操作軸挿通孔２、ロック軸挿通孔３及び一対の結合用挿通孔４、１つの引寄せ用挿通孔５が、一側面１ａと他側面１ｂに貫通してそれぞれ形成してある。
前記一対の結合用挿通孔４は操作軸挿通孔２の左右両側に位置し、かつ操作軸挿通孔２の左右両側部と連続している。連続せずにそれぞれ独立した孔でも良い。
前記引寄せ用挿通孔５はロック軸挿通孔３の上側に位置し、かつロック軸挿通孔３の上部と連続している。なお、連続せずに独立した孔でも良い。
これらの孔は、扉体１に形成した図示しない扉錠取付用の凹部を貫通している。
【００２１】
前記扉体１の内部、例えば前記凹部には図示しない扉錠が取付けてある。
この扉錠のラッチを扉体１の端面１ｃから出没して施錠、解錠する錠操作部材６は、一側レバーハンドル７と他側レバーハンドル８で、それらは操作軸９に連結される。レバーハンドルに限ることはなく丸い握手でも良い。
扉体１の一側面１ａに取付ける一側台座１０で一側レバーハンドル７が回転自在に支承される。
扉体１の他側面１ｂに取付ける他側台座２０で他側レバーハンドル８が回転自在に支承される。
操作軸９は扉体１の操作軸挿通孔２に挿通し、その操作軸９の両端部に一側レバーハンドル７と他側レバーハンドル８がそれぞれ連結される。
【００２２】
前記扉体１の一側面１ａに取付ける一側台座１０は、図１と図２に示すように略縦長の矩形皿形状で、支承孔１１とロック軸支承孔１２を上下方向に離隔して有する。支承孔１１に一側レバーハンドル７が回転自在に支承され、その支承孔１１が下で、ロック軸支承孔１２が上である。
前記一側台座１０の裏面における支承孔１１の左右両側位置に一対の結合用突起１３が設けてある。
この結合用突起１３は一側台座１０の裏面と一体である突起１４と、この突起１４の軸孔１４ａに嵌合したスプリングピン１５で形成される。
前記一側台座１０の裏面におけるロック軸支承孔１２の上方位置に引寄せ用突起１６が設けてある。
前記引寄せ用突起１６は一側台座１０の裏面と一体である突起１７にビス１８を螺合してある。
前記一側台座１０は金属製、例えばアルミダイキャスト製である。スプリングピン１５、ビス１８は鉄系金属製である。
前記一対の結合用突起１３と引寄せ用突起１６は略二等辺三角形の各角部に位置する。
【００２３】
前記ロック軸支承孔１２にロック軸１９の一端部が図２に示すように回転自在に支承してある。例えば、ロック軸１９は角軸１９ａとフランジ付きの回転筒１９ｂを有し、その回転筒１９ｂがロック軸支承孔１２に回転自在に嵌合され、角軸１９ａがピン１９ｃで連結してある。
【００２４】
前記扉体１の他側面１ｂに取付ける他側台座２０は、台座ベース２１と化粧用の台座カバー体２２より成る。
前記台座ベース２１は、図１と図３に示すように略縦長の矩形板状で、支承孔２３とロック操作部材支承孔２４と引寄せ用孔２５を上下方向に離隔して有する。支承孔２３が最も下で、引寄せ用孔２５が最も上である。この支承孔２３に他側レバーハンドル８が回転自在に支承される。
【００２５】
前記台座ベース２１における支承孔２３の左右両側位置に一対の突起２６が一体的に設けてある。
この突起２６は結合用孔２７を有する。
前記台座ベース２１の引寄せ用孔２５の周辺部にくさび部品取付用の凹陥部２８が形成してある。この凹陥部２８は台座ベース２１の上端面２１ａまで連続している。
前記台座ベース２１の上下左右両側部に被係合部、例えば被係合穴２９がそれぞれ形成してある。
前記台座ベース２１の下端面２１ｂに突出片３０が下向きに一体的に設けてある。
前記支承孔２３の周縁部に筒体３１が一体的に設けてある。
この台座ベース２１は樹脂製である。
【００２６】
前記ロック操作部材支承孔２４には図３に示すように、ロック操作部材、例えば摘み３２の円形突部３２ａが回転自在に嵌合してある。
摘み３２の軸心には連結穴３３が形成され、この連結穴３３にロック軸１９（角軸１９ａ）が嵌合される。
【００２７】
前記凹陥部２８にはくさび部品３４が上下方向に移動自在に取付けられる。
前記くさび部品３４は図４に示すように、くさび部３５と操作部３６を有すると共に、くさび部３５に引寄せ用突起挿通部３７が形成してある。
例えば、縦板３８と、その下部寄り幅方向中間部を打ち出し加工して形成した斜面３８ａを有する縦片３８ｂでくさび部３５とし、前記縦板３８の上部寄りを鉤形状に曲げ加工した部分を操作部３６とし、前記縦片３８ｂに下端面に開口した長穴３８ｃを形成して引寄せ用突起挿通部３７とする。
【００２８】
前記台座カバー体２２は、図１と図５、図６、図７に示すように略縦長矩形状の表面板４０と、その各辺部と一体的に連続した矩形枠形状の周面板４１で、前記台座ベース２１が嵌まり込む形状・大きさの略皿形状である。この台座カバー体２２は金属製、例えばアルミダイキャスト製である。
前記表面板４０には第１孔４２と第２孔４３が上下方向に離隔して形成してある。第１孔４２が下で、第２孔４３が上である。
前記表面板４０の裏面における第１孔４２の下方位置と第２孔４３の上方位置に係合部材４４がそれぞれ取付けてある。
この係合部材４４は一対の係合片４５を有し、その係合片４５が前記被係合穴２９に係合する。例えば、板ばねをコ字形状に折り曲げて一対の係合片４５を有するものとしてある。
前記表面板４０の裏面における上端部分にくさび部品移動部４６が設けてある。例えば、一対のリブ４７を一体的に設け、そのリブ４７の端面を斜面４７ａとしてある。
【００２９】
前記第２孔４３には樹脂カラー４８が嵌合して取付けてある。
前記摘み３２は、図９に示すように樹脂カラー４８に嵌合して表面板４０よりも外方に突出する。
これによって、摘み３２は樹脂カラー４８に沿って回転するので、摘み３２が金属製の表面板４０の第２孔４３の周縁部に接触することがなく、回転操作時に摘み３２に傷がつくことがない。
また、台座カバー体２２を台座ベース２１から取り外しする際に樹脂カラー４８が摘み３２に接触し、金属製の表面板４０の第２孔４３周縁部は摘み３２に接触しないので、摘み３２を傷をつけることがない。
【００３０】
前記樹脂カラー４８は暗所で発光する材料、例えば蛍光又は蓄光顔料を保有した樹脂であっても良い。
これによって、夜間等周囲が暗い場合に樹脂カラー４８が発光し、摘み３２の位置が判り易い。
【００３１】
前記周面板４１の下部４１ａに切欠部４９が形成してある。
この切欠部４９は図９に示すように台座ベース２１の突出片３０と相対向し、この切欠部４９と突出片３０との間に工具挿入用の空間部５０を形成する。
このようであるから、前述の空間部５０に、図９に仮想線で示すようにマイナスドライバーなどの尖端形状の工具５１を挿入し、突出片３０を支点としてこじることで台座カバー体２２を簡単に取り外しできる。
しかも、工具５１が突出片３０に接触し、工具５１は扉体１の他側面１ｂには接触しないので、台座カバー体２２を取り外しする時に扉体１の他側面１ｂに傷をつけることがない。
【００３２】
次に、台座の取付け手順を説明する。
一側台座１０にロック軸１９を取付ける。
台座ベース２１に摘み３２を取付ける。
扉体１の他側面１ｂ側から台座ベース２１の一対の突起２６を扉体１の一対の結合用挿通孔４に挿入すると共に、扉体１の一側面１ａ側から一側台座１０の一対の結合用突起１３を扉体１の一対の結合用挿通孔４に挿入し、図８に示すように、その一対の結合用突起１３（スプリングピン１５）を一対の突起２６の結合用孔２７に嵌合することで、一側台座１０を扉体１の一側面１ａ、台座ベース２１を扉体１の他側面１ｂにしっかりと押しつけて取付ける。
【００３３】
これにより、引寄せ用突起１６の先端部（ビス１８の頭部１８ａ）が引寄せ用孔２５を貫通し、凹陥部２８に突出する。
ロック軸１９の角軸１９ａの他端部が摘み３２の連結穴３３に嵌合し、摘み３２とロック軸１９が連結される。
【００３４】
台座ベース２１の凹陥部２８にくさび部品３４を取付け、長穴３８ｃの下方部分をビス１８の軸部１８ｂと対向させると共に、縦片３８ｂの斜面３８ａをビス１８の頭部１８ａに当接する。つまり、台座ベース２１とビス１８の頭部１８ａとの間にくさび部品３４を設ける。
この状態では、くさび部品３４は図８に実線で示す上方位置である。
なお、くさび部品３４は台座ベース２１にあらかじめ上下動自在で、かつ上方位置に保持して取付けても良い。また、くさび部品３４は横方向に移動自在としても良い。この場合にはくさび部品移動部４６を横向きとする。
【００３５】
この後に、台座カバー体２２を図８に矢印ａで示すように台座ベース２１に向けて移動し、その係合部材４４（係合片４５）を台座ベース２１の被係合穴２９に係合すると共に、筒体３１と第１孔４２を嵌合し、周面板４１を扉体１の他側面１ｂに押しつけて取付け、図９に示すように、この台座カバー体２２で台座ベース２１を覆う。
この時、台座カバー体２２のくさび部品移動部４６（リブ４７の斜面４７ａ）がくさび部品３４の操作部３６に押しつけられるので、くさび部品３４に下向きの力が作用する。
【００３６】
くさび部品３４は、そのくさび部３５（縦板３８ｂの斜面３８ａ）がビス１８の頭部１８ａに沿って下方に移動して縦板３８ｂがビス１８の頭部１８ａに接した引寄せ位置となるので、くさび作用でビス１８（引寄せ用突起１６）を台座ベース２１側に引寄せる。よって、一側台座１０と台座ベース２１が互いに引きつけ合う。つまり、くさび作用で互いに引きつけ合う力が生じる。
これによって、一側台座１０が扉体１の一側面１ａ、他側台座２０（台座ベース２１）が扉体１の他側面１ｂにしっかりと取付けられる。
【００３７】
また、レバーハンドルを回転自在に支承する支承孔１１，２３の左右両側方位置で結合用突起１３と結合用孔２７が嵌合し、その支承孔１１，２３よりも上方位置において、引寄せ用突起１６とくさび部品３４で引寄せされるので、略二等辺三角形の底辺の両側方と頂点の３点で一側台座１０と他側台座２０（台座ベース２１）が結合、引寄せされる。
よって、レバーハンドルを回転した時に一側台座１０、他側台座２０に作用する回転力でガタついたり、浮き上がることを確実に防止できる。
【００３８】
次に、扉体１の厚さが異なる場合について説明する。
図９に示す扉体１の厚さＨよりも薄い扉体の場合にはビス１８を締込んで突起１７からの突出長さ（つまり、引寄せ用突起１６の長さ）を短かくし、そのビス１８の頭部１８ａが台座ベース２１の引寄せ用孔２５からの突出寸法を図９に示す場合と同様とする。
図９に示す扉体１の厚さＨよりも厚い扉体の場合にはビス１８を弛めて突起１７からの突出長さ（つまり、引寄せ用突起１６の長さ）を長くし、そのビス１８の頭部１８ａが台座ベース２１の引寄せ用孔２５からの突出寸法を図９に示す場合と同様とする。
これによって、くさび部品３４を共通として厚さの異なる扉体に一側台座１０、他側台座２０を取付けできる。
【００３９】
次に、他の実施の形態を説明する。
図１０に示すように、台座カバー体２２をくさび部品移動部を備えていない形状とする。
この場合には、図１０に仮想線で示す上方位置のくさび部品３４を、台座カバー体２２を取付ける以前に、手で押し込んだり、ハンマー、ドライバーなどを用いて下方に移動して図１０に実線で示す引寄せ位置とする。
【００４０】
図１１と図１２に示すように、台座カバー体２２の表面板４０の裏面における上端部分に、くさび部品押え部５２、例えば一対の突起５３が設けてある。
台座カバー体２２を台座ベース２１に取付けると、図１２に示すように前記突起５３の突出端面５３ａが台座ベース２１の表面と相対向し、突起５３の下面５３ｂが引寄せ位置のくさび部品３４の上部、例えば操作部３６に当接し、くさび部品３４が引寄せ用突起１６の先端部と離れる方向、例えば上方に移動しないように押さえる。
【００４１】
よって、台座カバー体２２を取付けることでくさび部品３４を引寄せ位置に保持し、振動などでくさび部品３４が上方に移動して引寄せ用突起１６から脱落することがない。
また、突起５３の下面５３ｂがくさび部品３４の操作部３６に当接するので、その当接部分で台座カバー体２２を位置決めできる。
【００４２】
図１３に示すように、台座ベース２１と台座カバー体２２をあらかじめ連結、又は一体として他側台座２０とする。
つまり、台座ベース２１を樹脂製としたのは製造、加工を容易とすることもあるが、主な目的は突起２６を樹脂として結合用突起１３（スプリングピン１５）が嵌合用孔２７に嵌合し易くするためである。
このことを考慮しなければ、台座ベース２１と台座カバー体２２を金属製として一体成形することが可能である。
この場合には、突起２６の結合用孔２７に樹脂カラーを嵌合して結合用突起１３（スプリングピン１５）が嵌合し易くすることも可能である。
【００４３】
台座カバー体２２の周面板４１の一部、例えば上部４１ｂにくさび部品操作用の開口部５４を形成する。
この場合には、他側台座２０を扉体１の他側面１ｂに前述のようにして取付けした後に、開口部５４からくさび部品３４を挿入して取付けても良いし、図１３に実線で示すようにくさび部品３４をあらかじめ取付けておいても良い。
いずれの場合でも、開口部５４からドライバーなどの工具を入れてくさび部品３４を仮想線で示す下方位置まで移動して引寄せ位置とする。
【００４４】
前記くさび部品３４は前述の形状に限ることはなく、任意の形状とすることができる。
例えば、図１４（ａ），（ｂ），（ｃ）に示すように、板ばねを折り曲げて裏面縦板６０、上横板６１、円孤形状の表面縦板６２を有する形状とし、その表面縦板６２に長穴６３を形成する。
裏面縦板６０と表面縦板６２がくさび部３５で、上横板６１が操作部３６で、長穴６３が引寄せ用突起挿通部３７である。
【００４５】
図１５（ａ），（ｂ），（ｃ）に示すように、板材をプレス成形して縦片６４と横片６５で略鉤形状で、縦片６４に長穴６６を有すると共に、その長穴６６の周縁部分し打ち出し突部６７を有する形状とする。
縦片６４と打ち出し突部６７がくさび部３５で、横片６５が操作部３６で、長穴６６が引寄せ用突起挿通部３７である。
【００４６】
図１６（ａ），（ｂ），（ｃ）に示すように、厚肉の縦片６８と厚肉の横片６９で略鉤形状で、縦片６８に長穴７０を有すると共に、下部に斜面６８ａを有する樹脂成形品とする。
前記縦片６８がくさび部３５で、横片６５が操作部３６で、長穴７０が引寄せ用突起挿通部３７である。
【００４７】
前記引寄せ用突起１６は、図１７（ａ）に示すように、先端部に大径部１６ａを有する一体形状でも良い。
この場合には大径部１６ａにくさび部品３４のくさび部３５の表面が接する。また、図１７（ｂ）に示すように、先端部に小径部１６ｂを有する一体形状でも良い。
この場合には、くさび部品３４の引寄せ用突起挿通部３７が小径部１６ｂに挿通し、くさび部３５の表面が小径部１６ｂと大径部との段差部１６ｃに接する。前述の一体形状の引寄せ用突起１６の場合には、長手方向中間部で二分割し、雄ねじと雌ねじを形成して螺合することで、長さ調整自在とする。
【００４８】
以上の実施の形態では、２本の結合用突起１３と１本の引寄せ用突起１６を設けたが、結合用突起１３の本数と引寄せ用突起１６の本数は任意である。
また、複数の引寄せ用突起、例えば３本の引寄せ用突起１６のみとし、その各引寄せ用突起１６にくさび部品３４をそれぞれ押しつけて一側台座１０と他側台座２０を引き付け合って取付けても良い。
この場合には、３つのくさび部品３４を１体として１度の押し込み操作で３本の引寄せ用突起１６を同時に引き付けるようにしても良い。
【００４９】
例えば、図１８に示すように中間縦片７１と長尺な両側横片７２と両側縦向片７３で略門型のくさび本体７４とし、中間縦片７１と両側縦向片７３の下部寄りをくさび部３５とすると共に、引寄せ用突起挿通部３７をそれぞれ形成する。
前記中間縦片７１の上部に操作部３６を形成する。
このようにすれば、操作部３６を押し下げることで３つのくさび部３５が同時に下方に移動して引寄せ位置となる。
【００５０】
【発明の効果】
請求項１に係る発明によれば、一側台座１０の引寄せ用突起１６を扉体１の孔を挿通して他側台座２０の引寄せ用孔２５に挿通して先端部を突出させ、その突出した先端部にくさび部品３４を接して引寄せ用突起１６を引寄せることで、一側台座１０と他側台座２０に互いに引き合う力が作用し、一側台座１０が扉体１の一側面１ａ、他側台座２０が扉体１の他側面１ｂにしっかりと取付けられる。したがって、ビスを用いずに一側台座１０と他側台座２０を容易に取付けできる。しかも、錠操作部材６を繰り返し何回も操作しても一側台座１０、他側台座２０がガタついたり、扉体１の一側面１ａ、他側面１ｂから浮き上がったりすることがなく、耐久性に優れる。
【００５１】
また、結合用突起１３と結合用孔２７の嵌合部分で一側台座１０と他側台座２０を結合するから、一側台座１０と他側台座２０をより強固に取付けできる。
【００５３】
請求項２に係る発明によれば、一側台座１０と台座ベース２１を、結合用突起１３と結合用孔２７の嵌合及びくさび部品３４のくさび作用で扉体１の一側面１ａ、他側面１ｂに強固に取付け、その後に台座カバー体２２を取付けて台座ベース２１、くさび部品３４を覆うことができる。
したがって、一側台座１０と台座ベース２１の取付けが容易であると共に、外観の見栄えが良い。
【００５４】
請求項３に係る発明によれば、台座カバー体２２を取付けることでくさび部品３４が引寄せ位置に移動するので、くさび部品３４を引寄せ位置に移動する操作が不要である。
したがって、一側台座１０、他側台座２０の取付けがより一層容易である。
【００５５】
請求項４に係る発明によれば、台座カバー体２２でくさび部品３４を引寄せ位置に保持するので、そのくさび部品３４は引寄せ用突起１６の先端部から離れる方向に移動しない。
したがって、振動なとによってくさび部品３４が引寄せ用突起１６から脱落することがない。
【００５６】
請求項５に係る発明によれば、引寄せ用突起１６の長さを変えることで厚さの異なる扉体１に取付けできる。
例えば、厚い扉体１の場合には引寄せ用突起１６を長く、薄い扉体１の場合には引寄せ用突起１６を短かくすることで、一側台座１０と他側台座２０をくさび作用による引き合う力を利用してしっかりと取付けできる。
【図面の簡単な説明】
【図１】扉体と台座とレバーハンドルの分解斜視図である。
【図２】一側台座のロック軸取付け状態の断面図である。
【図３】台座ベースの摘み、くさび部品取付け状態の一部破断側面図である。
【図４】台座ベースの上部とくさび部品の斜視図である。
【図５】台座カバー体の背面図である。
【図６】図５のＡ−Ａ断面図である。
【図７】図５のＢ−Ｂ断面図である。
【図８】一側台座と台座ベースの取付け状態の断面図である。
【図９】一側台座、他側台座を取付けした状態の断面図である。
【図１０】第２の実施の形態を示す取付け状態の断面図である。
【図１１】第３の実施の形態を示す台座カバー体の断面図である。
【図１２】取付け状態の断面図である。
【図１３】第４の実施の形態を示す取付け状態の断面図である。
【図１４】くさび部品の第２の実施の形態を示す説明図である。
【図１５】くさび部品の第３の実施の形態を示す説明図である。
【図１６】くさび部品の第４の実施の形態を示す説明図である。
【図１７】引寄せ用突起の他の実施の形態を示す斜視図である。
【図１８】３つのくさび部品を１体とした例を示す斜視図である。
【符号の説明】
１…扉体、１ａ…一側面、１ｂ…他側面、１０…一側台座、１１…支承孔、１２…ロック軸支承孔、１３…結合用突起、１６…引寄せ用突起、１８…ビス、１８ａ…頭部、２０…他側台座、２１…台座ベース、２２…台座カバー体、２３…支承孔、２４…ロック操作部材支承孔、２５…引寄せ用孔、２７…結合用孔、３４…くさび部品、４６…くさび部品移動部、５２…くさび部品押え部。
【図１】
0003867240.tif 000002
【図２】
0003867240.tif 000003
【図３】
0003867240.tif 000004
【図４】
0003867240.tif 000005
【図５】
0003867240.tif 000006
【図６】
0003867240.tif 000007
【図７】
0003867240.tif 000008
【図８】
0003867240.tif 000009
【図９】
0003867240.tif 000010
【図１０】
0003867240.tif 000011
【図１１】
0003867240.tif 000012
【図１２】
0003867240.tif 000013
【図１３】
0003867240.tif 000014
【図１４】
0003867240.tif 000015
【図１５】
0003867240.tif 000016
【図１６】
0003867240.tif 000017
【図１７】
0003867240.tif 000018
【図１８】
0003867240.tif 000019